(57)【要約】【課題】  使いやすいように無線電話機２０の画面２２の近傍である受話部２１に着脱自在に取り付けられて、しかも電磁波遮蔽特性を有する無線電話機用拭き具１を提供する。【解決手段】  本発明の無線電話機用拭き具１は画面２２の汚れを拭き取るための拭き具本体２とこの拭き具本体の裏面に設けられた貼着部材３とよりなる無線電話機用拭き具１において、前記無線電話機用拭き具１が無線電話機２０の受話部２１に対応した大きさで形成されており、無線電話機２０に設けられた音孔２３に対応する開口部１０が前記拭き具本体２及び貼着部材３に設けられている。また、前記無線電話機用拭き具１の拭き具本体２には、電磁波遮蔽特性を有する防磁シート４が介装されている。【選択図】      図１
2006074696.tif 000002
【特許請求の範囲】
【請求項１】
画面の汚れを拭き取るための拭き具本体と、この拭き具本体の裏面に設けられた貼着部材よりなる無線電話機用拭き具において、
前記拭き具本体が無線電話機の受話部に対応した大きさで形成されており、無線電話機に設けられた音孔に対応する開口部が前記拭き具本体及び貼着部材に設けられていることを特徴とする無線電話機用拭き具。
【請求項２】
前記拭き具本体が割繊極細繊維による生地からなる拭き取り層と電磁波遮蔽特性を有する防磁シートよりなる請求項１に記載の無線電話機用拭き具。
【請求項３】
衝撃吸収材によって形成された弾性層が設けられている請求項２に記載の無線電話機用拭き具。
【請求項４】
前記拭き具本体の割繊による極細繊維が０．１デニール以下の超極細繊維である請求項１乃至３のいずれかに記載の無線電話機用拭き具。
【請求項５】
前記貼着部材には繰り返し接着が可能な粘着材が用いられている請求項１乃至４のいずれかに記載の無線電話機用拭き具。
【発明の詳細な説明】
【技術分野】
【０００１】
本発明は無線電話機用拭き具に関するものである。
【背景技術】
【０００２】
携帯電話機やＰＨＳ等の無線電話機の画面は、通話時に頬や耳に接触し、汗や脂、化粧品等によって汚れて、画面の文字が見えにくくなることがある。このような場合、画面の汚れをティッシュペーパーやハンカチを取り出して拭き取る必要がある。
しかしながら、ティッシュペーパーやハンカチをポケット、鞄から取り出して拭くのは面倒であり、ティッシュペーパーやハンカチ等を持ち合わせていない場合もある。
また、無線電話機用拭き具が販売されているが、従来の無線電話機用拭き具では、画面の裏側に貼り付けて使用されるために取り外して使用するのに手間がかかったり、電話機全体を覆うような大きなカバーであるため嵩張ったりするなどしていた。
さらに、近年携帯電話においては放出する電磁波の人体への影響が問題視されていて、その影響を低減することが好ましい。
【発明の開示】
【発明が解決しようとする課題】
【０００３】
本発明はこのような実情に鑑み、使いやすいように無線電話機の画面の近傍である受話部に着脱自在に取り付けられて、しかも電磁波遮蔽特性を有する無線電話機用拭き具を提供することを目的とする。
【課題を解決するための手段】
【０００４】
本発明の無線電話機用拭き具は画面の汚れを拭き取るための拭き具本体と、この拭き具本体の裏面に設けられた貼着部材とよりなる無線電話機用拭き具において、前記拭き具本体が無線電話機の受話部に対応した大きさで形成されており、無線電話機に設けられた音孔に対応する開口部が前記拭き具本体及び貼着部材に設けられていることを特徴とする。
本発明の無線電話機用拭き具は、無線電話機の受話部に対応した大きさで形成されているので、無線電話機の画面近傍の受話部に取り付けられて手軽に取り外して画面を拭き取ることが可能であり、また装着時においても受話部からの音声を無線電話機用拭き具の開口部を通じて聞くことができるので会話の妨げとなることもない。
【０００５】
前記無線電話機用拭き具の拭き具本体に電磁波遮蔽特性を有する防磁シートが介装されていれば電磁波の人体への悪影響を低減することができる。
さらに、前記拭き具本体に衝撃吸収剤によって形成される弾性層を設けておけば、無線電話機の保護にもつながり好適である。
この無線電話機用拭き具は割繊極細繊維による生地で汚れを拭き取るため微細な埃まで捕らえることが可能である。この割繊極細繊維は０．１デニール以下であることが望ましい。
また、無線電話機用拭き具の貼着部材には繰り返し接着が可能な粘着材を用いておけば、無線電話機用拭き具を着脱自在に取り付け可能となる。
【発明の効果】
【０００６】
本発明によれば、使いやすいように無線電話機の画面の近傍である受話部に着脱自在に取り付け可能で、しかも電磁波遮蔽特性を有する無線電話機用拭き具を得ることができる。
【発明を実施するための最良の形態】
【０００７】
以下、本発明の好ましい実施形態を図面に基づいて説明する。図１は本発明に係る無線電話機用拭き具を示した図面であり、図２は、本発明にかかる無線電話機用拭き具の使用状態を示す側断図である。この無線電話機用拭き具１は、薄板状をした拭き具本体２の裏面に貼着部材３が設けられたもので、この貼着部材３によって無線電話機２０の受話部２１に対して着脱自在に取り付け可能になっている。
上記、拭き具本体２は無線電話機の受話部２１の下側に設けられた画面２２には及ばない範囲で、受話部２１を覆うことができる必要かつ十分な大きさの楕円形板状に形成されており、その板面中央部には複数の丸孔１０からなる拡声部１１が設けられている。
また、前記無線電話機用拭き具１は無線電話機２０の受話部２１に対応した大きさとなっているために、従来のカバーのように、無線電話機全体を包み込むようにする必要はなく、最小限の大きさ、形状に形成されていて、各種無線電話機に対して共通化を図ることもできる。
また、拡声部１１は受話部２１に設けられた音孔２３に対応するように位置づけられており、スピーカー２４から出る音を外部へ通し易くしている。本実施形態では無線電話機用拭き具１の形状は楕円形としたが、矩形など他の形状であってもよく、拡声部１１についても複数の丸孔１０ではなく横溝状の開口部を設けるなど他の形状としてもよい。
【０００８】
図２に示すようにこの無線電話機用拭き具は、拭き具本体２と貼着部材３よりなる。拭き具本体２は、割繊極細繊維による生地からなる拭き取り層７と電磁波遮蔽特性を有する防磁シート４からなり、さらに衝撃吸収材によって形成された弾性層６を有している。なお、弾性層と防磁シートの間には弾性層を密封するためのカバーシート５が取り付けられている。このカバーシート５は、ラミネート加工、合成皮革、樹脂シート、皮革、布生地等によって形成されており、弾性層を汚れや湿気から防ぐ役割を果たしている。弾性層６は、ウレタン、スポンジ、発泡樹脂、シリコン系等の軟質ゴムや樹脂、或いは面等の繊維材を起毛させたもの等によって形成されている。
【０００９】
本実施形態では、弾性層６として低反発アクリル連続発泡体や低反発高密度ウレタン等よりなる衝撃吸収剤を用いた。そのため、無線電話機の保護に好適であり、また拭き具本体２の保形性にも優れるといった利点が得られる。なお、低反発アクリル連続発泡体では、ＪＩＳ  Ｋ６４０１に基づく５／８剛球の４６０ｍｍ高さからの落下試験を行った結果、反発弾性率０．２が得られるものであり、これは同じ厚さのＥＶＡシートの反発弾性率２１．０と比較して極めて好成績となっている。また、ウレタンシートの反発弾性率も４．２８であり、このものでも好適と言える。
【００１０】
上記防磁シート４は、音は通すが所定周波数の電磁波は遮蔽する特性を有する材料によって形成されている。この材料は、粉末状又は繊維状等をした電磁波遮蔽素材をベースとなるシート材に対して面状に分散して保持させたものである。この電磁波遮蔽素材の分散度、即ち、密度が通音性と電磁波遮蔽作用とをバランスさせるものとなる。
この防磁シート４は具体的には、東レ製の商品名「ソルディオン」等に代表される静電防止剤をナイロン布表面へ塗布することによって形成することができる。拡声部１１については、前記防磁シート４には音を通す材料を用いているので、防磁シート４が拭き取り層７等の丸孔１０を塞ぐように形成しており、前記防磁シート４に表裏両面が例えば銀色や金色等の金属光沢を有する材質のものを用いれば、丸孔１０（開口部）の奥底が恰も金属製であるかの如く金属光沢をもって反射するようになる。
本実施形態では、防磁シートを拡声部１１と略同じ大きさで設けているが、無線電話機用拭き具本体２と同じ大きさ、形状であってもよい。
【００１１】
拭き具本体２の裏面に設けられる貼着部材３には、繰り返し接着が可能とされる粘着剤が用いられる。この粘着剤としては、例えばウレタンゴム、シリコンゴム、アクリルゴム等のゴム系粘着剤がある。このような貼着部材３であれば、無線電話機に対する装着位置のズレ修正や、着せ替え等に便利であるとともに、粘着面にゴミ等が付着した場合には水洗いして乾かすだけで、元の接着力を発揮するようになるので、極めて便利である。勿論、無線電話機から剥がしたときに、無線電話機に粘着剤が残るといったことはない。
【００１２】
この貼着部材３は上記粘着剤を拭き具本体２の裏面に直接塗布することによって形成させてもよいが、素材シートの片面または両面に上記粘着剤を塗布して、予め粘着シートとして形成しておく方法を採用して、これを拭き具本体２の裏面へ貼り付けるようにしてもよい。両面テープ形式とする場合、拭き具本体の裏面へ向く側の粘着剤には繰り返し接着性を有しない通常のものを用いればよい。
本実施形態では、この粘着剤として東レ社製の商品名「トレティー」を用いた。この粘着剤は、ウレタンゴム系粘着剤である。
貼り付け部材３においても無線電話機２０の受話部２１からの音声が聞き取りやすいように複数の丸孔１０からなる開口部を有しているのが好ましい。
【００１３】
拭き取り層７の割繊極細繊維による生地にはカネボウ合繊社製の商品名「ベリーマＸ」を用いた。この割繊極細繊維は０．１デニール以下の超極細繊維であり、放射状型のナイロン１本を中心に楔形のポリエステル８本が周囲に配置された特殊複合糸である。ポリエステルの楔形の断面構造が画面２２の細かい凹凸にフィットするので、埃や油膜を確実に捉えることができる。また、放射状のナイロンは細くて扁平であるために生地が柔らかく、画面２２を傷つけることもない。拭き取り層７は表側に用いられるため、図案、文字等を印刷、着色、エンボス加工の装飾処理をしておくのが好ましい。
【００１４】
なお、本発明は上記実施形態に限るものではない。例えば、本実施形態においては、拭き具本体２の上層に拭き取り層７、中間層に弾性層６、下層に防磁シート４からなる構成としたが、弾性層６と防磁シート５を入れ替えた層構成にしてもよく、極端な場合、弾性層６や防磁シート５を省略した構成としてもよい。
貼着部材を含めた積層順や積層数においても、なんら実施形態に限定されるものではなく、例えば貼着部材３や弾性層６の一部に切り取り部分があり、その切り取り部分に防磁シート４があるような構成、すなわち防磁シート４が貼着部材３や弾性層６と同一平面上であるような構成としてもよい。さらに、弾性層や貼着部材を製造する過程で、弾性層６や貼着部材３の原料中に粉末状の電磁波遮蔽素材を混入させるような実施形態であってもよい。
本発明の無線電話機用拭き具１は携帯電話やＰＨＳはもとより、コードレス電話機やトランシーバ等にも適用することができる。
【図面の簡単な説明】
【００１５】
【図１】本発明にかかる無線電話機用拭き具の実施形態を示す斜視図である。
【図２】本発明にかかる無線電話機用拭き具の使用状態を示す側断図である。
【符号の説明】
【００１６】
１  無線電話機用拭き具
２  拭き具本体
３  貼着部材
４  防磁シート
５  カバーシート
６  弾性層
７  拭き取り層
１０  丸孔（開口部）
１１  拡声部
２０  無線電話機
２１  受話部
２２  画面
２３  音孔
２４  スピーカー
【図１】
2006074696.tif 000003
【図２】
2006074696.tif 000004